(57)【要約】      （修正有）【課題】リサイクルができ、使い易い電子ペーパーラベルのマーク装置を提供する。【解決手段】電子ペーパーマーク装置は、制御端末１０及び無線周波タグ２０を備える。無線周波タグは、ラベル信号処理モジュール２３と、ラベル信号処理モジュールに接続されている信号受信モジュール２２と、電子ペーパー表示モジュール２１と、電池２５と、を備える。電子ペーパー表示モジュール及びラベル信号処理モジュールは、電池にそれぞれ接続され、信号受信モジュールは、制御端末１０から伝送された異なる周波数バンドの無線信号を受信し、ラベル信号処理モジュールに伝送して、ラベル信号処理モジュールを介して無線信号を電子ペーパー表示モジュールに適合するデータのフォーマットに変換し、電子ペーパー表示モジュールによりデータを表示する。【選択図】図１
0003191816.tif 000002
【実用新案登録請求の範囲】
【請求項１】
制御端末及び無線周波タグを備える電子ペーパーマーク装置であって、
前記無線周波タグは、ラベル信号処理モジュールと、前記ラベル信号処理モジュールに接続されている信号受信モジュールと、電子ペーパー表示モジュールと、電池と、を備え、前記電子ペーパー表示モジュール及び前記ラベル信号処理モジュールは、前記電池にそれぞれ接続され、
前記信号受信モジュールは、前記制御端末から伝送された異なる周波数バンドの無線信号を受信し、且つ前記無線信号を前記ラベル信号処理モジュールに伝送して、前記ラベル信号処理モジュールを介して前記無線信号を前記電子ペーパー表示モジュールに適合するデータのフォーマットに変換して、前記電子ペーパー表示モジュールにより前記データを表示することを特徴とする電子ペーパーマーク装置。
【請求項２】
前記信号受信モジュールは、互いに接続されている無線周波チップ及びコイルを備え、前記制御端末は、信号送信モジュールを備え、前記コイルの異なる位置が、前記信号送信モジュールとそれぞれカップリングすることによって、前記信号受信モジュールは異なる周波数バンドの無線信号を受信できるようになることを特徴とする請求項１に記載の電子ペーパーマーク装置。
【請求項３】
前記制御端末と前記無線周波タグとの間の信号の無線伝送は、前記信号送信モジュール及び前記信号受信モジュールによって実現されることを特徴とする請求項２に記載の電子ペーパーマーク装置。
【請求項４】
前記制御端末は、入力モジュール、表示モジュール及び電源モジュールをさらに備え、前記入力モジュール、前記表示モジュール及び前記ラベル信号処理モジュールは、全て前記電源モジュールに接続されていることを特徴とする請求項３に記載の電子ペーパーマーク装置。
【考案の詳細な説明】
【技術分野】
【０００１】
本考案は、電子ペーパーマーク装置に関するものである。
【背景技術】
【０００２】
電子製品を製造する過程において、通常電子製品をトレイ又は包装箱等に置いて、これを生産ラインの異なるワークステーションに輸送して、加工し又は組み立てる。現在、電子製品を追跡して、その生産日、型番及び数量等の情報を随時管理してコントロールするために、通常電子製品を収容するトレイ又は包装箱に、電子製品の数量、型番等の情報が明確に記載されているバーコード又は他の識別可能な紙を貼り付ける方法が採用されている。従って、何度も利用されるトレイ又は包装箱には、異なる電子製品のラベルが多数貼り付けられているため、記録する場合に誤差等が発生し易く、且つエコではない。また、既存の電子ペーパーラベルの表示内容を変えることは煩わしい。
【考案の概要】
【考案が解決しようとする課題】
【０００３】
本考案は、上記の問題点を考慮してなされたものであり、リサイクルすることができ、使い易い電子ペーパーマーク装置を提供することを目的とする。
【課題を解決するための手段】
【０００４】
上記の課題を解決するために、本考案に係る電子ペーパーマーク装置は、制御端末及び無線周波タグを備える。前記無線周波タグは、ラベル信号処理モジュールと、前記ラベル信号処理モジュールに接続されている信号受信モジュールと、電子ペーパー表示モジュールと、電池と、を備える。前記電子ペーパー表示モジュール及び前記ラベル信号処理モジュールは、前記電池にそれぞれ接続され、前記信号受信モジュールは、前記制御端末から伝送された異なる周波数バンドの無線信号を受信し、且つ前記無線信号を前記ラベル信号処理モジュールに伝送して、前記ラベル信号処理モジュールを介して前記無線信号を前記電子ペーパー表示モジュールに適合するデータのフォーマットに変換して、前記電子ペーパー表示モジュールにより前記データを表示する。
【考案の効果】
【０００５】
従来の技術と異なり、本考案の電子ペーパーマーク装置の無線周波タグは、その内部に装着された電池により給電され、且つ制御端末から無線信号を取得する。前記無線周波タグの内部にはコイルが設けられているので、前記無線周波タグは異なる周波数バンドの無線信号を受信して、多くの信号を取得することができる。
【図面の簡単な説明】
【０００６】
【図１】本考案の実施形態に係る電子ペーパーマーク装置の機能モジュールを示す図である。
【考案を実施するための形態】
【０００７】
図１に示すように、本考案の実施形態に係る電子ペーパーマーク装置１００は、製品の輸送、電子製品とその部品及びスーパーの商品の価格等の情報をマークするために用いられる。電子ペーパーマーク装置１００は、制御端末１０及び無線周波タグ２０を備える。制御端末１０は、無線周波タグ２０が表示する情報を変えるか又は無線周波タグ２０に製品の情報を入力する。
【０００８】
本実施形態において、制御端末１０は、入力モジュール１１、信号処理モジュール１２、表示モジュール１３、信号送信モジュール１４及び電源モジュール１５を備える。入力モジュール１１、表示モジュール１３及び信号送信モジュール１４は、全て信号処理モジュール１２に接続されている。信号処理モジュール１２及び表示モジュール１３は、それぞれ電源モジュール１５に接続されている。入力モジュール１１は、ユーザが入力した製品の情報を信号処理モジュール１２に伝送する。信号処理モジュール１２は、受信した製品の情報をアナログ信号からデジタル信号に変換し、且つ当該デジタル信号を表示モジュール１３に伝送する。表示モジュール１３は、信号処理モジュール１２からの製品の情報に関するデジタル信号を表示する。これと同時に、信号処理モジュール１２は、受信した製品の情報を信号送信モジュール１４に伝送して、信号送信モジュール１４により無線の方式によって無線周波タグ２０に伝送する。電源モジュール１５は、制御端末１０全体に電力を供給する。本実施形態において、電源モジュール１５は電池である。
【０００９】
無線周波タグ２０は、多周波数受動部品であり、電子ペーパー表示モジュール２１、信号受信モジュール２２、ラベル信号処理モジュール２３及び電池２５を備える。電子ペーパー表示モジュール２１、信号受信モジュール２２及びラベル信号処理モジュール２３は、全て電池２５に接続されている。信号受信モジュール２２は、ラベル信号処理モジュール２３に接続され、且つ互いに接続されている無線周波チップ２２１及びコイル２２２を備える。電池２５が信号受信モジュール２２に給電する時に、コイル２２２は、信号送信モジュール１４が生成した無線信号とカップリングする。コイル２２２の異なる位置が信号送信モジュール１４とそれぞれカップリングするため、無線周波チップ２２１は、制御端末１０が送信した異なる周波数バンドの低レベル信号又は高レベル信号を受信する。ラベル信号処理モジュール２３は、信号受信モジュール２２の無線周波チップ２２１により転送されるデジタル信号を受信して、当該デジタル信号を処理して電子ペーパー表示モジュール２１に適合するデータのフォーマットに変換して、電子ペーパー表示モジュール２１に伝送する。電池２５は、電子ペーパー表示モジュール２１及び無線周波タグ２０に電力を供給する。
【００１０】
本考案の電子ペーパーマーク装置１００は、主に生産の過程又は物流過程において用いられる。使用する場合、無線周波タグ２０を製品の包装箱、輸送箱、トレイ又はブラケットに貼り付けて、無線周波タグ２０により製品の各種の情報を表示する。例を挙げて説明すると、輸送箱内の製品の入れ替えに伴って、前記輸送箱の外面に交換された後の製品の情報を表示する必要がある場合、ユーザが制御端末１０の入力モジュール１１を介して製品の情報を入力すると、信号処理モジュール１２は、受信した製品の情報を信号送信モジュール１４に伝送して、信号送信モジュール１４を介して無線の方式によって前記製品の情報を無線周波タグ２０に伝送する。無線周波タグ２０の信号受信モジュール２２は、前記製品の情報に関する信号を受信して、それをラベル信号処理モジュール２３に伝送する。ラベル信号処理モジュール２３は、当該信号を処理して電子ペーパー表示モジュール２１に伝送して、電子ペーパー表示モジュール２１により製品の詳細な情報を表示する。
【００１１】
本発明電子ペーパーマーク装置１００は、製品の輸送箱に貼り付けられた無線周波タグ２０を取り換えなくても、制御端末１０を介してデータを変えて、無線周波タグ２０に無線伝送することによって、異なる製品の情報を表示することができる。従って、製品を収容する輸送箱又は包装箱に紙製のラベルを貼り付ける必要がなく、製品の情報に対する識別エラー等を防止することもできる。また、輸送箱及び無線周波タグ２０もリサイクル可能であるため、エネルギーを節約することができる。さらに、無線周波タグ２０の内部には電池が装着されているので、電子ペーパー表示モジュール２１が停電に起因して、表示できない問題を防ぐことができる。
【符号の説明】
【００１２】
１０  制御端末
１１  入力モジュール
１２  信号処理モジュール
１３  表示モジュール
１４  信号送信モジュール
１５  電源モジュール
２０  無線周波タグ
２１  電子ペーパー表示モジュール
２２  信号受信モジュール
２２１  無線周波チップ
２２２  コイル
２３  ラベル信号処理モジュール
２５  電池
１００  電子ペーパーマーク装置
【図１】
0003191816.tif 000003